(57)【特許請求の範囲】
【請求項１】
斜流または軸流の横軸ポンプの主軸を回転自在に水中で支承する水中軸受装置であって、
前記主軸との摺動面に潤滑油脂を介在させつつ該主軸を回転自在に支承する水中軸受と、
前記水中軸受内の潤滑油脂の漏出を防止する油封部とを備え、
前記油封部は、オイルシールと該オイルシールを内部に収納するオイルシールケースとを有し、
前記オイルシールケースは水平面に沿って分割可能に構成されており、
前記主軸の外周面の前記オイルシールケースと対向する位置には、軸スリーブが固着されており、
前記オイルシールケース内の油脂充填部には予備オイルシールが設置されており、
前記軸スリーブの前記油脂充填部と対向する位置には直径を小さくした凹環部が設けられており、
前記オイルシールケース内には軸方向に移動可能に、かつ分割可能に構成された遊動リングが前記オイルシールに隣接されて配置されており、
前記オイルシールは、前記オイルシールケースの水中軸受側の端部付近に設置された第１オイルシールと、前記オイルシールケースの反水中軸受側の端部付近に配置された第２オイルシールとを有し、
前記油脂充填部及び前記凹環部は、前記第１オイルシールと前記第２オイルシールとの間に位置しており、
前記予備オイルシールは、前記凹環部と対向する位置に設置されており、前記予備オイルシールのリップ先端部は前記軸スリーブの外周面と非接触であることを特徴とする水中軸受装置。
【請求項２】
前記水中軸受の内部に潤滑油脂を供給する油脂供給口と、
前記油脂供給口に接続される送油脂管と、
前記オイルシールケースの内部に流入した潤滑油脂を排出する油脂排出口と、
前記油脂排出口に接続される排油脂管と、
前記油脂排出口より排出された潤滑油脂を貯留する排出油脂貯留槽と、
前記排出油脂貯留槽内に排出された排出油脂量を測量する測量器とを有し、
前記送油脂管の一部と前記排油脂管の一部は、二重配管からなる１本の配管で構成されていることを特徴とする請求項１に記載の水中軸受装置。
【請求項３】
請求項１または２に記載の水中軸受装置を備えたことを特徴とする横軸ポンプ。
【発明の詳細な説明】
【技術分野】
【０００１】
本発明は、斜流または軸流の横軸ポンプの主軸を水中で回転自在に支承するのに使用される水中軸受装置、及び該水中軸受装置を備えた横軸ポンプに関する。
【背景技術】
【０００２】
河川排水や農業用水等に用いられる斜流または軸流の横軸ポンプの主軸を水中で回転自在に支承する水中軸受装置としては、軸受材料としてホワイトメタル（軸受合金）を使用したすべり軸受（水中軸受）を備え、すべり軸受と主軸との間にグリース等の潤滑油脂を供給して潤滑するようにしたものが広く知られている。
【０００３】
図１は、この種の従来の一般的な水中軸受装置を示す断面図である。図１に示すように、ポンプ軸等の主軸１を水中で回転自在に支承する水中軸受装置２は、ホワイトメタルを軸受材料としたすべり軸受（水中軸受）３を有しており、このすべり軸受３は、主軸１の軸支部に固定した軸受スリーブ（軸スリーブ）４を包囲する位置に位置して、軸受支え５を介して、図示しない軸受ケーシングに固定されている。すべり軸受３には、油脂供給口３ａが設けられ、この油脂供給口３ａを通して、すべり軸受３の内周面と軸受スリーブ４の外周面との間にグリース等の潤滑油脂が供給される。
【０００４】
すべり軸受３の主軸１の端面側の一端には、すべり軸受３の開口端を閉塞する軸受カバー６が取り付けられ、他端には、すべり軸受３内に、ポンプの取扱流体（外部流体）である河川水や農業用水が入り込むのを防止する油封部７が備えられている。油封部７は、リップ先端部を軸受スリーブ４の外周面に接触させてシールするオイルシール８と該オイルシール８を内部に収納するオイルシールケース９とを有している。これにより、すべり軸受３内への外部流体の浸入を防止し、すべり軸受３の潤滑機能が維持される。この構造の場合、外部流体に対し、潤滑油脂側の油圧が大きいと、潤滑油脂（グリース）の方向性により、潤滑油脂が外部流体側に漏れる。このため、潤滑油脂側の圧力を大きくすることにより、すべり軸受３内への外部流体の浸入を防止している。すべり軸受３の内部に供給される潤滑油脂は、油封部７に設けられたオイルシール８により堰き止められて、ポンプの取扱流体（外部流体）である河川水や農業用水への流出が防止される。
【０００５】
図１に示す水中軸受装置において、オイルシール８は、軸受スリーブ４等との接触部を持つ消耗部品であり、オイルシール８が使用に伴って経時的に消耗すると、すべり軸受３内へ外部流体が浸入したり、グリースなどの潤滑油脂が外部流体内に流出してしまう恐れがある。軸受内への外部流体の浸入は、軸受の異常を発生させ、また、川や農業用水への潤滑油脂の流出は、水質や生態系に影響を与えるため、極力防止する必要がある。これらの問題を解決するため、オイルシール８を定期的に交換することが求められる。
【０００６】
オイルシールの交換を行うためには、新規のオイルシールの手配が必要となり、また、オイルシールを予備品として在庫している場合でも、オイルシールを構成するゴムの劣化やオイルシールの金属部の錆付き等を防止するため、オイルシールの管理に十分な配慮が必要となる。このため、図１に示す水中軸受装置を使用して、ポンプの主軸を回転自在に支承すると、オイルシールの管理等がかなり面倒で、ポンプを良好に維持し管理することが困難となる。また、オイルシールだけではなく、オイルシールとの接触部材である軸受スリーブ（軸スリーブ）が消耗している場合には、オイルシールの交換だけでなく、軸受スリーブの交換も必要になる。このため、軸受スリーブの手配や、現地での軸受スリーブ交換作業が複雑となり、ポンプを良好に維持し管理することが更に困難となる。
【０００７】
また、ポンプの主軸を潤滑油脂が不要なセラミックス軸受で回転自在に支承することも広く行われている。しかしながら、セラミックスは、脆性材料であり、また急激な温度変化により割れ（ヒートクラック）が生じやすいという材料特性を有することから、主軸をセラミックス軸受で回転自在に支承した横軸ポンプは、特に主軸をホワイトメタル等のメタルを軸受材料としたすべり軸受（水中軸受）で支承した横軸ポンプと比較して、ポンプの信頼性が低下してしまうという課題がある。
【０００８】
つまり、横軸ポンプの場合、立軸ポンプと異なり、回転体の重量がラジアル荷重として軸受に作用するため、振動等による動荷重が立軸ポンプに比べ大きくなる。このため、ポンプの主軸をセラミックス軸受で回転自在に支承すると、セラミックス軸受が割れてしまう恐れがある。また、横軸斜流ポンプは、吸上始動する場合が多いため、始動時の満水失敗や運転時における落水時により、軸受の温度が急激に上昇することがある。このような軸受温度の急激上昇により、セラミックス軸受が割れてしまう（ヒートクラック）懸念もある。このため、横軸ポンプにおいては、セラミックス軸受の採用を避ける傾向にある。
【０００９】
図２は、環境性等を考慮し、すべり軸受の内部に潤滑油脂（グリース）を圧封させることなく、循環させて戻す（再利用する）ようにした、従来の他の水中軸受装置２ａを示す断面図である。図２に示す水中軸受装置２ａの図１に示す水中軸受装置２と異なる点は、すべり軸受３とオイルシールケース９との間に、内部に流入した潤滑油脂を外部に排出する油脂排出口１１０ａを有する油脂充填スペーサ１１０を介装して、油封部７を構成している点にある。その他の構成は、図１に示す水中軸受装置２と同様である。
【００１０】
図２に示す水中軸受装置２ａは、潤滑油脂の取扱流体への流出を抑えることはできるが、オイルシールの消耗や劣化を完全に防止することはできず、このため、潤滑油脂の取扱流体への流出を長期に亘って安定して抑えることは困難である。
【００１１】
また、セラミックス軸受の欠点を補い、且つ無給油の水中軸受装置として、熱可塑性樹脂材料からなるすべり軸受を使用することが提案されている（特許文献１参照）。しかし、熱可塑性樹脂材料からなるすべり軸受は、軸受が（摺動）摩耗しやすく、高頻度で軸受の交換を行わなければならない等の維持管理性の課題がある。このような課題に対し、材質改良や構造改良により、耐摩耗性を高めることも種々提案されているが、セラミックスやメタル系の軸受と同等以上の耐摩耗性を確保するには至っていないのが現状である。
【００１２】
また、オイルシールに漏れが生じた場合に、外気に曝されている予備オイルシールを押し込めて使用するように構成したものが提案されている（特許文献２参照）。しかし、特許文献２に記載の発明は、予備オイルシールが常に湿度の高いポンプ側近部に設けられており、経年劣化を起こしやすい状況にある。このため、使用している（機能させている）オイルシールが劣化した段階で、予備オイルシールも劣化を起こしている場合もあり、予備オイルシールの信頼性に課題がある。特に、ポンプ内部に設けられるポンプ用水中軸受においては、その設置環境（条件）の面で適用が困難である。
【先行技術文献】
【特許文献】
【００１３】
【特許文献１】特開２００５−１２７２２６号公報
【特許文献２】特開２００７−４６５８１号公報
【発明の概要】
【発明が解決しようとする課題】
【００１４】
本発明は上記事情に鑑みて為されたもので、例えばオイルシールが経年劣化したときにオイルシールを容易且つ迅速に交換できるようにして、ポンプの信頼性、維持管理性及び環境性（軸受への外部流体浸入防止、外部への油脂流出防止）を向上させた水中軸受装置、及び該水中軸受装置を備えた横軸ポンプを提供することを目的とする。
【課題を解決するための手段】
【００１５】
請求項１に記載の発明は、斜流または軸流の横軸ポンプの主軸を回転自在に水中で支承する水中軸受装置であって、前記主軸との摺動面に潤滑油脂を介在させつつ該主軸を回転自在に支承する水中軸受と、前記水中軸受内の潤滑油脂の漏出を防止する油封部とを備え、前記油封部は、オイルシールと該オイルシールを内部に収納するオイルシールケースとを有し、前記オイルシールケースは水平面に沿って分割可能に構成されており、前記主軸の外周面の前記オイルシールケースと対向する位置には、軸スリーブが固着されており、前記オイルシールケース内の油脂充填部には予備オイルシールが設置されており、前記軸スリーブの前記油脂充填部と対向する位置には直径を小さくした凹環部が設けられており、前記オイルシールケース内には軸方向に移動可能に、かつ分割可能に構成された遊動リングが前記オイルシールに隣接されて配置されており、前記オイルシールは、前記オイルシールケースの水中軸受側の端部付近に設置された第１オイルシールと、前記オイルシールケースの反水中軸受側の端部付近に配置された第２オイルシールとを有し、前記油脂充填部及び前記凹環部は、前記第１オイルシールと前記第２オイルシールとの間に位置しており、前記予備オイルシールは、前記凹環部と対向する位置に設置されており、前記予備オイルシールのリップ先端部は前記軸スリーブの外周面と非接触であることを特徴とする水中軸受装置である。
【００１６】
これにより、予備オイルシールを潤滑油脂中に浸漬させて予備オイルシールの錆等による劣化を防止しつつ、使用中のオイルシールが劣化した時に、劣化したオイルシールを劣化のない予備オイルシールに迅速且つ確実に取り替えることができる。しかも、他のポンプ用オイルシールの誤用（型式間違い）や、通常管理で懸念される予備品（オイルシール）の紛失や忘失を確実に防止することができる。
【００１９】
オイルシールと接触する軸スリーブ（オイルシールスリーブ）は、外部流体（ポンプ取扱流体）からの異物の混入による壊食、オイルシールとの接触による摩耗、或いは外部流体の液質による腐食等を受け、接触表面が正常で無くなる場合がある。この場合、オイルシールのみを交換しても、所定のシール機能が確保されないため、軸スリーブも交換する必要があるが、本発明によれば、軸スリーブの接触表面が正常で無くなった時に、遊動リングとオイルシールとを互いに入れ替えることで、軸スリーブを交換することなく、容易に正常なスリーブ面で封油させ（オイルシールを設置し）、シール機能を確保することが可能となる。
【００２１】
これにより、第２オイルシールに異常が生じ、外部流体がオイルシールケース内に流入した場合でも、第１オイルシールで外部流体が水中軸受の内部に流入することを防止することができる。
【００２２】
請求項２に記載の発明は、前記水中軸受の内部に潤滑油脂を供給する油脂供給口と、前記油脂供給口に接続される送油脂管と、前記オイルシールケースの内部に流入した潤滑油脂を排出する油脂排出口と、前記油脂排出口に接続される排油脂管と、前記油脂排出口より排出された潤滑油脂を貯留する排出油脂貯留槽と、前記排出油脂貯留槽内に排出された排出油脂量を測量する測量器とを有し、前記送油脂管の一部と前記排油脂管の一部は、二重配管からなる１本の配管で構成されていることを特徴とする請求項１に記載の水中軸受装置である。
【００２３】
これにより、オイルシールケースの油脂排出口から排出され排出油脂貯留槽に貯留される排出油脂の性状や排出量を管理し、オイルシールの劣化状態を推測して、オイルシールを適時交換することができる。
【００２４】
これにより、排出油脂貯留槽の内部に貯留された排油脂量を測量器で測量し、ポンプの運転時間と合わせた排油脂量の傾向管理を行うことで、オイルシールの劣化をより正確に管理・推測することができる。
【００２６】
本発明の一参考例は、斜流または軸流の横軸ポンプの主軸を水中で回転自在に支承する水中軸受装置であって、主軸との摺動面に潤滑油脂を介在させつつ該主軸を回転自在に支承する水中軸受と、オイルシールと該オイルシールを内部に収納するオイルシールケースとを有し、前記水中軸受内の潤滑油脂の漏出を防止する油封部と、前記水中軸受内に潤滑油脂を供給する油脂供給口に接続される送油脂管と、前記オイルシールケース内に流入した潤滑油脂を排出する油脂排出口に接続される排油脂管とを備え、前記送油脂管の一部と前記排油脂管の一部は、二重配管からなる１本の配管で構成されていることを特徴とする水中軸受装置である。
【００２７】
送油脂管の一部と排油脂管の一部を二重配管からなる１本の配管で構成することで、例えばポンプケーシングを貫通する配管部を１カ所で済まして配管部を少なくすることができる。これによって、ポンプの水頭損失を少なくして、ポンプ効率を向上させることができる。しかも、油脂循環型でない水中軸受装置を、ポンプケーシング等を改造することなく、油脂循環型の効果を有する水中軸受装置に容易に改造することができる。
【００２８】
請求項３に記載の発明は、請求項１または２に記載の水中軸受装置を備えたことを特徴とする横軸ポンプである。
【発明の効果】
【００２９】
本発明によれば、例えばオイルシールが経年劣化したときにオイルシールを容易且つ迅速に交換できるようにして、ポンプの信頼性、維持管理性及び環境性（軸受への外部流体浸入防止、外部への油脂流出防止）を向上させことができる。
【図面の簡単な説明】
【００３０】
【図１】従来の水中軸受装置を示す断面図である。
【図２】従来の他の水中軸受装置を示す断面図である。
【図３】本発明の第１の実施形態の水中軸受装置を有する横軸ポンプ（横軸斜流ポンプ）を備えたポンプ設備の全体構成図である。
【図４】図３に示すポンプ設備に備えられている水中軸受装置を示す断面図である。
【図５】本発明の第２の実施形態の水中軸受装置を示す断面図である。
【図６】本発明の第３の実施形態の水中軸受装置を示す断面図である。
【図７】本発明の第４の実施形態の水中軸受装置を示す概要図である。
【図８】本発明の第５の実施形態の水中軸受装置を有する横軸ポンプ（横軸斜流ポンプ）を備えたポンプ設備の全体構成図である。
【図９】図８に示すポンプ設備に備えられている水中軸受装置を示す概要図である。
【発明を実施するための形態】
【００３１】
以下、本発明の実施形態を図３乃至図９を参照して説明する。以下の各実施形態において、水中軸受として、軸受材料にホワイトメタル（軸受合金）を使用した油潤滑式のすべり軸受を使用しているが、軸受材料として、ホワイトメタル以外の他のメタル系を使用しても良い。また水中軸受として、潤滑油脂を供給して潤滑させるようにした自己潤滑性軸受や特殊樹脂軸受を用いても良い。なお、図３乃至図９において、同一または相当部材には同一符号を付して重複した説明を省略する。
【００３２】
図３は、本発明の第１の実施形態の水中軸受装置を有する横軸ポンプ（横軸斜流ポンプ）を備えたポンプ設備の全体構成図を示し、図４は、図３に示すポンプ設備に備えられている水中軸受装置の断面図を示す。図３に示すように、ポンプ設備には、電動機、ディーゼルまたはガスタービンエンジン等の駆動機１０、減速機１２及び横軸ポンプ（横軸斜流ポンプ）１４が備えられ、駆動機１０の駆動軸１６、減速機１２の回転軸１８及び横軸ポンプ１４の主軸（ポンプ軸）２０は、直列に連結されている。これによって、駆動機１０の駆動に伴って、横軸ポンプ１４の主軸２０は減速されて回転する。
【００３３】
横軸ポンプ１４の主軸２０は、ポンプケーシング２４に設けた軸封装置２２を通過してポンプケーシング２４の内部に達しており、その両端において、ポンプケーシング２４の外部に配置した外部軸受２６とポンプケーシング２４の内部に配置した水中軸受装置３０によって、回転自在に支承されている。水中軸受装置３０は、ガイドベーン３２を介してポンプケーシング２４に連結した軸受ケーシング３４の内部に、軸受支え３６を介して、固定されて配置されている。
【００３４】
ポンプケーシング２４の内部には、主軸２０と一体に回転する羽根車３８が収容されている。また、ポンプケーシング２４の上端には、満水検知器４０、吸気弁４２及び電動機４４で駆動する真空ポンプ４６を備えた呼水ライン４８が接続されている。そして、横軸ポンプ１４の吸込管５０は、吸込水槽５２内に設置され、吐出管５４は、水平に延びて、図示しない吐出水槽に達している。これにより、主軸２０と一体に羽根車３８を回転させることで、吸込水槽５２内のポンプ取扱流体（外部流体）が揚水されて、吐出水槽内に順次揚水される。
【００３５】
水中軸受装置３０は、図４に詳細に示すように、ホワイトメタルを軸受材料としたすべり軸受（水中軸受）６０を有しており、このすべり軸受６０は、主軸２０の軸支部に固定した軸受スリーブ（軸スリーブ）６２を包囲する位置に位置して、前述のように、軸受支え３６を介して、軸受ケーシング３４に固定されている。すべり軸受６０には、油脂供給口６０ａが設けられ、油脂供給口６０ａを通して、すべり軸受６０の内周面と軸受スリーブ６２の外周面との間にグリース等の潤滑油脂が供給される。
【００３６】
すべり軸受６０の主軸２０の端面側の一端には、すべり軸受６０の開口端を閉塞する軸受カバー６４が取り付けられ、他端には、外部からの浸水防止、及びすべり軸受６０内に供給された潤滑油脂の漏出の防止を目的とする油封部６６が備えられている。
【００３７】
油封部６６は、この例では、互いに所定間隔離間して、すべり軸受側の端部付近に配置された第１オイルシール６８ａと、反すべり軸受側の端部付近に配置された第２オイルシール６８ｂとを有しており、この両オイルシール６８ａ，６８ｂは、オイルシールケース７０の内部に収納されている。主軸２０の外周面のオイルシールケース７０と対向する位置には、オイルシールスリーブ（軸スリーブ）７２が固着され、第１オイルシール６８ａと第２オイルシール６８ｂのリップ先端部は、オイルシールスリーブ７２の外周面と接触してシールするようになっている。
【００３８】
オイルシールケース７０の内周面には、内方に突出する凸状部７０ａが所定間隔離間して設けられ、この凸状部７０ａで挟まれた領域に、潤滑油脂を所定の圧力で充填させる油脂充填部７０ｂが形成されている。両オイルシール６８ａ，６８ｂは、凸状部７０ａの外側にそれぞれ配置されている。油脂充填部７０ｂ内に位置して、この例では、軸方向に沿った左右２個づつの合計４個の予備オイルシール７４が配置されている。オイルシールスリーブ７２の油脂充填部７０ｂと対向する位置には、予備オイルシール７４のリップ先端部がオイルシールスリーブ７２の外周面と接触して摩耗するのを防止するため、直径を小さくした凹環部７２ａが設けられている。なお、油脂充填部７０ｂ内に配置する予備オイルシール７４の数は、任意に設定できることは勿論である。
【００３９】
オイルシールケース７０は、この例では、水平面に沿って上下に分割した、横断面半円状の上下２つ割り構造で、図４に仮想線で示すフランジ７０ｃが分割面に沿って水平に延びており、このフランジ７０ｃをボルト・ナットで締結することで、略円筒状のオイルシールケース７０が構成されるようになっている。そして、オイルシールケース７０は、ボルト７６によって、すべり軸受６０の端面に固定され、更に、オイルシールケース７０の反すべり軸受側端面には、オイルシール押え７８がボルト（図示せず）によって固定されている。これによって、第１オイルシール６８ａは、すべり軸受６０の端面とすべり軸受側の凸状部７０ａとの間に、スペーサ８０ａを介して、位置決めされて固定され、第２オイルシール６８ｂは、反すべり軸受側の凸状部７０ａとオイルシール押え７８との間に、スペーサ８０ｂを介して、位置決めされて固定される。
【００４０】
オイルシールケース７０の下部には、油脂充填部７０ｂに連通して、油脂充填部７０ｂ内に流入した潤滑油脂を外部に排出する油脂排出口７０ｄが設けられている。
【００４１】
この例の水中軸受装置３０にあっては、現在使用している（機能させている）オイルシール６８ａ，６８ｂが劣化した時に、次のようにして、劣化したオイルシール６８ａ，６８ｂを劣化していない予備オイルシール７４に取り替える。
【００４２】
先ず、オイルシールケース７０のフランジ７０ｃを締結しているボルト・ナット、オイルシール押え７８をオイルシールケース７０に固定しているボルト、及びオイルシールケース７０をすべり軸受６０の端面に固定しているボルト７６を外し、オイルシールケース７０を分割して取り外す。次に、劣化したオイルシール６８ａ，６８ｂを切断して取り除いた後、予備オイルシール７４をオイルシールスリーブ７２に沿ってスライドさせて、劣化したオイルシール６８ａ，６８ｂが設置されていた位置に移動させる。しかる後、前述と逆の手順で、オイルシールケース７０を取り付ける。
【００４３】
なお、この例では、現在使用している（機能させている）オイルシール６８ａ，６８ｂの双方を、予備オイルシール７４に同時に取り替えるようにしているが、現在使用している（機能させている）オイルシール６８ａ，６８ｂの一方のみを予備オイルシール７４に取り替えるようにしても良い。
【００４４】
この例の水中軸受装置３０によれば、現在使用中のオイルシール６８ａ，６８ｂが劣化した時に、この劣化したオイルシール６８ａ，６８ｂを、劣化のない予備オイルシール７４に迅速且つ確実に取り替えることができ、これによって、主軸２０を水中軸受装置３０で回転自在に支承した横軸ポンプ１４の信頼性、維持管理性及び環境性（軸受への外部流体浸入防止、外部への油脂流出防止）を向上させることができる。
【００４５】
しかも、消耗部品である予備オイルシール７４を、オイルシールケース７０内に配設することにより、他のポンプ用オイルシールとの誤用（型式間違い）や、通常管理で懸念される予備品（オイルシール）の紛失や忘失を確実に防止することができる。
【００４６】
更に、オイルシールケース７０内の潤滑油脂が充填された油脂充填部７０ｂに予備オイルシール７４を配置することにより、潤滑油脂で満たされた保管器等を新たに設けることなく、予備オイルシール７４を潤滑油脂中に浸漬させながら保管する環境を確保することができ、これによって、予備オイルシール７４の錆等による劣化を防止して予備オイルシール７４の品質向上を図ることができる。
【００４７】
図５は、本発明の第２の実施形態の水中軸受装置３０ａを示す断面図である。この例の水中軸受装置３０ａの第１の実施形態の水中軸受装置３０と異なる点は、オイルシール６８ａ，６８ｂに隣接する位置、この例では、第１オイルシール６８ａとすべり軸受６０の端面との間、及び第２オイルシール６８ｂとオイルシール押え７８との間に、スペーサ８０ａ，８０ｂの代わりに、オイルシールスリーブ７２の外径より僅かに大きな内径を有する遊動リング８２ａ，８２ｂを設置した点にある。遊動リング８２ａ，８２ｂは、この例では、上下に分割した、半円状の２つ割り構造で、分割面を互いに当接させたことで、リング状の遊動リング８２ａ，８２ｂが構成されるようになっている。
【００４８】
この例の水中軸受装置３０ａにあっては、オイルシールスリーブ７２の現在使用している（機能させている）オイルシール６８ａ，６８ｂと接触している箇所が、壊食、摩耗または腐食した場合に、以下の手順で、オイルシール６８ａ，６８ｂと遊動リング８２ａ，８２ｂとを互いに入れ替える。
【００４９】
先ず、前述と同様にして、オイルシールケース７０を分割して取り外す。次に、遊動リング８２ａ，８２ｂを分割して取り外した後、オイルシール６８ａ，６８ｂをオイルシールスリーブ７２に沿ってスライドさせて、遊動リング８２ａ，８２ｂが設置されていた位置まで移動させる。そして、遊動リング８２ａ，８２ｂを、オイルシール６８ａ，６８ｂが設置されていた場所に取り付け、しかる後、オイルシールケース７０を取り付ける。
【００５０】
オイルシール６８ａ，６８ｂと接触するオイルシールスリーブ７２は、外部流体からの異物の混入による壊食、オイルシール６８ａ，６８ｂとの接触による摩耗、或いは外部流体の液質による腐食等を受け、接触表面が正常で無くなる場合がある。この例の水中軸受装置３０ａによれば、オイルシールスリーブ７２のオイルシール６８ａ，６８ｂとの接触表面が正常で無くなった場合に、遊動リング８２ａ，８２ｂとオイルシール６８ａ，６８ｂとを互いに入れ替えることで、正常なスリーブ面で封油させる（オイルシール６８ａ，６８ｂのリップ先端部をオイルシールスリーブ７２の外周面に接触させる）ことを容易に行って、信頼性及び維持管理時の作業性が高いポンプとすることができる。
【００５１】
浸水被害を防止する排水（治水）ポンプ設備においては、経済的観点から、予備ポンプを設けない場合が大半であり、ポンプの維持管理作業（消耗部品の交換作業等）でのポンプの運転休止は、ポンプ設備としての排水能力低下となるため、極力短くすることが強く望まれている。また、近年の問題となっている、非出水期（季節外れ）の大雨やゲリラ豪雨などの対策としても、ポンプ設備の排水能力低下期間を極力短くすることが、排水設備としての信頼性向上に大きく寄与する。
【００５２】
従来の一般的なポンプであれば、オイルシールと接触する軸スリーブに異常が生じた場合、オイルシールと共に軸スリーブの交換も必要となり、大がかりな作業・期間（手配を含む）が必要となるが、この例の水中軸受装置３０ａによれば、オイルシールスリーブ（軸スリーブ）７２の交換を必要としないため、横軸ポンプ１４の経済性や信頼性（排水機能停止期間の短縮）の向上に大きく貢献できる。
【００５３】
図６は、本発明の第３の実施形態の水中軸受装置３０ｂを示す断面図である。この例の水中軸受装置３０ｂの第２の実施形態の水中軸受装置３０ａと異なる点は、互いに隣接する位置に設置されるオイルシール６８ａ，６８ｂと遊動リング８２ａ，８２ｂの位置関係を逆にした点にある。つまり、この例の水中軸受装置３０ｂにあっては、遊動リング８２ａとすべり軸受６０の端面との間に位置して第１オイルシール６８ａが設置され、遊動リング８２ｂとオイルシール押え７８との間に位置して第２オイルシール６８ｂが設置されている。
【００５４】
オイルシールスリーブ７２は、オイルシール６８ａ，６８ｂとの接触により摩耗することが懸念されるとともに、特に、外部流体が海水等の腐食性の強い流体の場合や、シルト分が多い流体の場合は、オイルシールスリーブ７２のオイルシール６８ｂと接触している箇所に腐食・壊食が生じやすい。
【００５５】
この例の水中軸受装置３０ｂによれば、このような場合に、オイルシール６８ｂの内側に遊動リング８２ｂを設置することで、次のオイルシール交換時のシール面となる内側面に腐食性の強い流体が入り込まないようにすることができる。つまり、前述の第２の実施形態の水中軸受装置３０ａとほぼ同様な手順で、オイルシール６８ｂと遊動リング８２ｂとを互いに入れ替えた時のオイルシール６８ｂが接触するオイルシールスリーブ７２の表面の正常化（品質維持）を図ることができる。
【００５６】
図７は、本発明の第４の実施形態の水中軸受装置３０ｃを示す概要図である。この例の水中軸受装置３０ｃは、第１の実施形態の水中軸受装置３０に以下の構成を付加している。つまり、この例の水中軸受装置３０ｃは、すべり軸受６０の内部に供給する潤滑油脂を貯留する供給油脂貯留槽８４と、この供給油脂貯留槽８４とすべり軸受６０の油脂供給口６０ａとを結ぶ送油脂管８６に設置された、例えば、容積型グリースポンプから成る油脂供給装置８８とを備えている。これにより、油脂供給装置８８の駆動に伴って、供給油脂貯留槽８４からすべり軸受６０の内部に潤滑油脂が自動的に供給される。
【００５７】
オイルシールケース７０の油脂排出口７０ｄは、排油脂管９０の一端に接続され、排油脂管９０の他端は、オイルシールケース７０内に流入して油脂排出口７０ｄから排出される潤滑油脂を貯留する排出油脂貯留槽９２に接続されている。更に、排出油脂貯留槽９２は、この内部に貯留された排油脂量を測量する測量器９４が備えられ、この測量器９４は、コンピュータ９６等の記録装置に接続されている。
【００５８】
このように、排出油脂貯留槽９２を設けて、オイルシールケース７０の油脂排出口７０ｄから排出される潤滑油脂の性状や排出量を管理することで、オイルシール６８ａ，６８ｂの劣化状態を推測して、オイルシール６８ａ，６８ｂを適時交換することができ、これによって、横軸ポンプ１４の維持管理性を向上させることができる。また、排出される潤滑油脂への金属粉の混入等を（目視）管理することにより、オイルケーススリーブ７２の異常の感知も可能となる。
【００５９】
また、潤滑油脂を循環させて回収することにより、潤滑油脂の外部流体（ポンプ取扱流体）への流出を防止し、環境性の良いポンプ設備とすることが可能となる。なお、回収した潤滑油脂は、循環再利用することなく廃棄処理することが好ましく、これにより、すべり軸受６０の内部に常に正常な潤滑油脂を供給して、すべり軸受６０を確実且つ正常に機能させることができる。
【００６０】
潤滑油脂への異物混入は、すべり軸受６０の損傷を引き起こし、横軸ポンプ１４の異常振動、重大故障を誘引する原因の一つとなる。そのため、その原因を排除することは、ポンプ設備の信頼性の観点から重要である。
【００６１】
特に、この例の水中軸受装置３０ｃにあっては、第２オイルシール６８ｂに異常が生じ、外部流体がオイルシールケース７０内に流入した場合でも、第１オイルシール６８ａで外部流体がすべり軸受６０の内部に流入することを防止することができる。しかも、オイルシールケース７０の油脂排出口７０ｄから排出される潤滑油脂の性状や排出量を管理することで、軸受スリーブ７２に損傷を与える前に、オイルシール６８ａ，６８ｂの交換を行うことが可能となり、品質の良い（信頼性の高い）ポンプ設備とすることができる。
【００６２】
なお、外部流体の圧力の方が、オイルケース７０の油脂充填部７０ｂ内に充填される潤滑油脂の圧力より低い場合は、図７に示すように、第１オイルシール６８ａと第２オイルシール６８ｂを互いに対向するように配置することが好ましく、外部流体の圧力の方が、オイルケース７０の油脂充填部７０ｂ内に充填される潤滑油脂の圧力より高い場合は、第１オイルシール６８ａと同じ方向にして、第２オイルシール６８ｂを設置するようにしても良い。
【００６３】
更に、この例の水中軸受装置３０ｃにあっては、排出油脂貯留槽９２の内部に貯留された排油脂量を測量器９４で測量し、この測量値をコンピュータ９６に入力して、横軸ポンプ１４の運転時間と合わせた排油脂量の傾向管理を行い、オイルシール６８ａ，６８ｂの劣化を管理・推測するようにしている。これにより、より正確なオイルシール６８ａ，６８ｂの管理が可能となる。また、警報等を出すように構成することで、オイルシール６８ａ，６８ｂの交換忘れを防止して、ポンプ設備の信頼性を高めることができる。
【００６４】
なお、この例では、第１の実施形態の水中軸受装置３０に種々の構成を付加するようにしているが、第２の実施形態の水中軸受装置３０ａまたは第３の実施形態の水中軸受装置３０ｂに前述と同様な種々の構成を付加するようにしてもよい。このことは、以下の第５の実施形態の水中軸受装置３０ｄにあっても同様である。
【００６５】
図８は、本発明の第５の実施形態の水中軸受装置を有する横軸ポンプ（横軸斜流ポンプ）を備えたポンプ設備の全体構成図を示し、図９は、図８に示すポンプ設備に備えられている水中軸受装置の概要図を示す。図８に示すように、この例では、横軸ポンプ１４のポンプケーシング２４から軸受ケーシング３４に跨って、二重配管９８が配設されている。この二重配管９８は、図９に示すように、内部配管１００と該内部配管１００の周囲を囲繞する外部配管１０２とを有しており、内部配管１００の内部に第１流路が、内部配管１００と外部配管１０２との間に第２流路がそれぞれ形成されている。
【００６６】
この例の水中軸受装置３０ｄの第４の実施形態の水中軸受装置３０ｃと異なる点は、内部配管１００の内部に形成される第１流路を、供給油脂貯留槽８４とすべり軸受６０の油脂供給口６０ａとを結ぶ送油脂管８６の一部に、内管１００と外部配管１０２との間に形成される第２流路を、オイルシールケース７０の油脂排出口７０ｄと排出油脂貯留槽９２とを結ぶ排油脂管９０の一部にそれぞれ使用している点にある。
【００６７】
油脂循環型の水中軸受装置を使用して主軸を回転自在に支承した従来の一般的なポンプにあっては、ポンプの外部に配置された油脂供給装置から軸受に潤滑油脂を供給し、軸受内の循環油脂をポンプの外部に排出するために、ポンプケーシングの２カ所に送油脂管と排油脂管を設ける必要があるが、この例の水中軸受装置３０ｄによれば、ポンプケーシングを貫通する配管部を１カ所で済まして配管部を少なくすることができ、これによって、ポンプの水頭損失を少なくして、ポンプ効率を向上させることができる。
【００６８】
また、油脂循環型でない水中軸受装置を使用して主軸を回転自在に支承した従来の一般的なポンプの場合、ポンプケーシングを貫通する配管は、送排油管用の１カ所しかなく、油脂循環型でない水中軸受装置を油脂循環型の水中軸受構造にするためには、ポンプケーシングの改造も含めた大がかりな改修が必要であったが、この例の水中軸受装置３０ｄによれば、ポンプケーシングを改造することなく、ポンプケーシングの送排油管が通る既設の１箇所の貫通部を利用して、油脂循環型でない水中軸受装置を油脂循環型の効果を有する水中軸受装置に容易に改造することができ、これによって、より経済的に機能向上が図れるポンプとすることができる。
【００６９】
これまで本発明の一実施形態について説明したが、本発明は上述の実施形態に限定されず、その技術的思想の範囲内において種々異なる形態にて実施されてよいことは言うまでもない。例えば、上記実施形態では、横軸ポンプとして、横軸斜流ポンプを使用しているが、軸流の横軸ポンプを使用しても良い。
【符号の説明】
【００７０】
１０  駆動機
１２  減速機
１４  横軸ポンプ（横軸斜流ポンプ）
１６  駆動軸
１８  回転軸
２０  主軸（ポンプ軸）
２４  ポンプケーシング
３０  水中軸受装置
３２  ガイドベーン
３４  軸受ケーシング
３８  羽根車
４６  真空ポンプ
４８  呼水ライン
５０  吸込管
５４  吐出し管、
６０  すべり軸受（水中軸受）
６０ａ  油脂供給口
６２  軸受スリーブ（軸スリーブ）
６６  油封部
６８ａ，６８ｂ  オイルシール
７０  オイルシールケース
７０ｂ  油脂充填部
７０ｄ  油脂排出口
７２  オイルシールスリーブ（軸スリーブ）
７４  予備オイルシール
８０ａ，８０ｂ  スペーサ
８２ａ，８２ｂ  遊動リング
８４  供給油脂貯留槽
８６  送油脂管
８８  油脂供給装置
９０  排油脂管
９２  排出油脂貯留槽
９４  測量器
９８  二重配管
【図１】
0005703102.tif 000002
【図２】
0005703102.tif 000003
【図３】
0005703102.tif 000004
【図４】
0005703102.tif 000005
【図５】
0005703102.tif 000006
【図６】
0005703102.tif 000007
【図７】
0005703102.tif 000008
【図８】
0005703102.tif 000009
【図９】
0005703102.tif 000010